(57)【特許請求の範囲】
【請求項１】
台板を、椅子の前方において水平状態の使用位置と、椅子の側部において垂下状態となる収納位置とに回動可能なるよう装着した椅子のメモ用等台板のヒンジ装置において、椅子の側部に固定される基体には、椅子の幅方向に軸着されている軸受と、当該軸受の外周側に嵌合されて、台板の上記使用位置と収納位置との間にあって回動する回転体と、先端側には台板が直交状に設けられ、基端側は前記回転体にあって、前記軸受と直交状で、かつ前向きに開設した軸孔に、抜け止め状態にて上記台板の使用位置と起立位置とに回動可能なるよう嵌合されている回動軸とを具備し、前記軸受の外周面に設けたクラッチ軸係脱用である凹溝と、前記回転体の軸心孔周壁にあって、クラッチ軸がその直径方向へ移動自在に遊嵌されるよう連設のクラッチ軸収容孔と、前記回動軸の外周一部に欠設したクラッチ軸係脱用の切り欠き溝とを、夫々前記台板の起立位置において互いに対向して連通する位置に配設することで、クラッチ軸の切り欠き溝への移動を許容することにより、回転体を回動降下自在とし、台板の使用状態においては、クラッチ軸の切り欠き溝への移動が回動軸の外周に阻止されて回転体の回転降下を停止するようにしてなるクラッチ機構が設けられていることを特徴とする椅子のメモ用等台板のヒンジ装置。
【請求項２】
台板を、椅子の前方において水平状態の使用位置と、椅子の側部において垂下状態となる収納位置とに回動可能なるよう装着した椅子のメモ用等台板のヒンジ装置において、椅子の側部に固定される基体には、椅子の幅方向に軸着されている軸受と、当該軸受の外周側に嵌合されて、台板の上記使用位置と収納位置との間にあって回動する回転体と、先端側には台板が直交状に設けられ、基端側は前記回転体にあって、前記軸受と直交状で、かつ前向きに開設した軸孔に、抜け止め状態にて上記台板の使用位置と起立位置とに回動可能なるよう嵌合されている回動軸とを具備し、前記軸受の外周面に設けたクラッチ軸係脱用である凹溝と、前記回転体の軸心孔周壁にあって、クラッチ軸がその直径方向へ移動自在に遊嵌されるよう連設のクラッチ軸収容孔と、前記回動軸の外周一部に欠設した、クラッチ軸係脱用の切り欠き溝とを、夫々前記台板の起立位置において互いに対向して連通する位置に配設することで、クラッチ軸の切り欠き溝への移動を許容することにより、回転体を回動降下自在とし、台板の使用状態においては、クラッチ軸の切り欠き溝への移動が回動軸の外周に阻止されて回転体の回転降下を停止するようにしたクラッチ機構が設けられていると共に、両端部が前記回転体と回動軸とに夫々係止されているコイルスプリングを配設することで、前記台板を使用位置から所定の角度だけ回動操作するだけで、自動的に起立位置まで回動されるように、当該コイルスプリングによるトルクを台板のトルクよりも所定値だけ大きく設定した台板の起立助勢機構が設けられていることを特徴とする椅子のメモ用等台板のヒンジ装置。
【請求項３】
台板を、椅子の前方において水平状態の使用位置と、椅子の側部において垂下状態となる収納位置とに回動可能なるよう装着した椅子のメモ用等台板のヒンジ装置において、椅子の側等部に固定される基体には、椅子の幅方向に軸着されている軸受と、当該軸受の外周側に嵌合されて、台板の上記使用位置と収納位置との間で回動する回転体と、先端側には台板が直交状に設けられ、基端側は前記回転体にあって、前記軸受と直交状で、かつ前向きに開設した軸孔に、抜け止め状態にて上記台板の使用位置と起立位置とに回動可能なるよう嵌合されている回動軸とを具備し、前記軸受の外周面に設けたクラッチ軸係脱用である凹溝と、前記回転体の軸心孔周壁にあって、クラッチ軸がその直径方向へ移動自在に遊嵌されるよう連設のクラッチ軸収容孔と、前記回動軸の外周一部に欠設したクラッチ軸係脱用の切り欠き溝とを、夫々前記台板の起立位置において互いに対向して連通する位置に配設することで、クラッチ軸の切り欠き溝への移動を許容することにより、回転体を回動降下自在とし、台板の使用状態においては、クラッチ軸の切り欠き溝への移動が回動軸の外周に阻止されて回転体の回転降下を停止するようにしてなるクラッチ機構が設けられていると共に、両端部が前記回転体と回動軸とに夫々係止されているコイルスプリングを配設することで、前記台板を使用位置から所定の角度だけ回動操作するだけで、自動的に起立位置まで回動されるように、当該コイルスプリングによるトルクを台板のトルクよりも所定値だけ大きく設定した台板の起立助勢機構が設けられ、さらに前記回転体の周壁と軸受との間に環状凹部を設け、これに、台板の収納動作である回動降下に対して制動力の発揮されるダンパー機構が設けられていることを特徴とする椅子のメモ用等台板のヒンジ装置。
【請求項４】
台板を、椅子の前方において水平状態の使用位置と、椅子の側部において垂下状態となる収納位置とに回動可能なるよう装着した椅子のメモ用等台板のヒンジ装置において、椅子の側等部に固定される基体には、椅子の幅方向に軸着されている軸受と、当該軸受の外周側に嵌合されて、台板の上記使用位置と収納位置との間にあって、回動する回転体と、先端側には台板が直交状に設けられ、基端側は前記回転体にあって、前記軸受と直交状で、かつ前向きに開設した軸孔に、抜け止め状態にて上記台板の使用位置と起立位置とに回動可能なるよう嵌合されている回動軸とを具備し、前記軸受の外周面に設けたクラッチ軸係脱用である凹溝と、前記回転体の軸心孔周壁にあって、クラッチ軸がその直径方向へ移動自在に遊嵌されるよう連設のクラッチ軸収容孔と、前記回動軸の外周一部に欠設したクラッチ軸係脱用の切り欠き溝とを、夫々前記台板の起立位置において互いに対向して連通する位置に配設することで、クラッチ軸の切り欠き溝への移動を許容することにより、回転体を回動降下自在とし、台板の使用状態においては、クラッチ軸の切り欠き溝への移動が回動軸の外周に阻止されて回転体の回転降下を停止するようにしてなるクラッチ機構が設けられていると共に、両端部が前記回転体と回動軸とに夫々係止されているコイルスプリングを配設することで、前記台板を使用位置から所定の角度だけ回動操作するだけで、自動的に起立位置まで回動されるように、当該コイルスプリングによるトルクを台板のトルクよりも所定値だけ大きく設定した台板の起立助勢機構が設けられ、さらに、前記回転体にあって、軸受と直交状にて設けられた貫通孔に摺動自在なるよう嵌合されて、内装の圧縮スプリングにより軸受方向へ押圧付勢されたカムローラ受と、その先端部に回転自在なるよう枢着されているカムローラと、このカムローラが台板の収納位置にあって係嵌自在なるよう前記軸受の外周面に凹設されたカム溝とからなる台板の収納保持機構が設けられていることを特徴とする椅子のメモ用等台板のヒンジ装置。
【請求項５】
台板を、椅子の前方において水平状態の使用位置と、椅子の側部において垂下状態となる収納位置とに回動可能なるよう装着した椅子のメモ用等台板のヒンジ装置において、椅子の側等部に固定される基体には、椅子の幅方向に軸着されている軸受と、当該軸受の外周側に嵌合されて、台板の上記使用位置と収納位置との間にあって、回動する回転体と、先端側には台板が直交状に設けられ、基端側は前記回転体にあって、前記軸受と直交状で、かつ前向きに開設した軸孔に、抜け止め状態にて上記台板の使用位置と起立位置とに回動可能なるよう嵌合されている回動軸とを具備し、前記軸受の外周面に設けたクラッチ軸係脱用である凹溝と、前記回転体の軸心孔周壁にあって、クラッチ軸がその直径方向へ移動自在に遊嵌されるよう連設のクラッチ軸収容孔と、前記回動軸の外周一部に欠設した、クラッチ軸係脱用の切り欠き溝とを、夫々台板の起立位置において互いに対向して連通する位置に配設することで、クラッチ軸の切り欠き溝への移動を許容することにより、回転体を回動降下自在とし、台板の使用状態においては、クラッチ軸の切り欠き溝への移動が回動軸の外周に阻止されて回転体の回転降下を停止するようにしてなるクラッチ機構が設けられていると共に、両端部が前記回転体と回動軸とに夫々係止されているコイルスプリングを配設することで、前記台板を使用位置から所定の角度だけ回動操作するだけで、自動的に起立位置まで回動されるように、当該コイルスプリングによるトルクを台板のトルクよりも所定値だけ大きく設定した台板の起立助勢機構が設けられ、さらに、前記回転体にあって、軸受と直交状にて設けられた貫通孔に摺動自在なるよう嵌合されて、内装の圧縮スプリングにより軸受方向へ押圧付勢されたカムローラ受と、その先端部に回転自在なるよう枢着されているカムローラと、このカムローラが台板の収納位置にあって係嵌自在なるよう前記軸受の外周面に凹設されたカム溝からなる台板の収納保持機構が設けられると共に、前記回転体の周壁と軸受との間に環状凹部を設け、これに、台板の収納動作である回動降下に対して制動力の発揮されるようにしたダンパー機構が設けられていることを特徴とする椅子のメモ用等台板のヒンジ装置。
【発明の詳細な説明】
【０００１】
【発明の属する技術分野】
本発明は、筆記したり、物を載置するために用いる台板を、劇場その他における椅子の前方にあって、ほぼ水平な使用位置に保持したり、椅子の側部にあって着座の邪魔にならぬように、ほぼ垂直な状態に収納しておくよう回動操作のできるように構成された椅子のメモ用等台板のヒンジ装置に関する。
【０００２】
【従来の技術】
従来、椅子用メモ台等の装置にあっては、地震や建物の火災発生などで、着座者が椅子から立ち上がって緊急避難することを考慮し、メモ台等を使用位置から収納位置に移動させるための操作が、簡易であり、かつ短時間に行い得るようにすることが不可欠とされ、このような目的を達成するため既に特開平９−２８５０９号公報の如きものが開示されている。
【０００３】
上記従来のメモ台装置では、椅子に固定される基体に溝を設けておき、この基体に回動自在なるよう軸支された回転体には、平面からこれとほぼ直角をなすメモ台使用位置と、ほぼ平行となるメモ台起立位置とに回動可能となるようメモ台支持体を取り付け、これには突部を設けた構成となっている。そしてこのメモ台支持体と、これに固設のメモ台とが、前記の回転体に対して前掲メモ台使用位置まで倒伏することにより、前記した基体の溝と上記突部とが互いに係合し、このことで回転体の回動降下が阻止されてメモ台の使用が可能となり、この状態から緊急避難時には、メモ台を起立位置まではね上げ操作することにより、上記突部を溝との係合から離脱して回転体が自動的に回動降下し、このことにより当該メモ台装置が収納状態に復帰するよう構成されている。
【０００４】
【発明が解決しようとする課題】
しかし、従来のメモ台装置によるときは、溝に対して突部が完全に合致する状態にしておかないと、回転体に対してメモ台付きのメモ台支持体を回転させて溝に突部を係合させた際、溝の開口縁部（角部）に突部の角部が押当摺接して互いに摩耗したり破損したりすることとなる。
【０００５】
また、メモ台を使用位置に保持するためには、もちろん溝に突部を完全に嵌合しなくてはならないから、どうしても各部品の加工時における寸法上のばらつき等を考慮して、突部と溝とのクラアランスを大きくとる必要が生じ、この結果どうしても使用位置でのメモ台は上下方向へのがたつきが大きくなってしまうこととなる。
【０００６】
さらに、溝と突部の位置が整合しないときは、メモ台を起立位置から水平な使用位置に倒すとき、溝と突部が擦動し合って、音鳴きがしたり、操作が重くなり、さらには溝と突部が食い付いて、使用位置から起立位置へのはね上げ操作が困難または不能となるといった故障の原因ともなる。
【０００７】
また、基体と回転体との間にあって突部が挟設されているので、メモ台の収納回転時に、基体の側面と突部とが擦動して摩耗したり騒音が生じ、それだけでなく、溝と突部が外部にあらわれているので、外観上の美感も低下し、かつ溝に異物等が付着して正常に機能しなくなったり、溝と突部との間に衣服の端等が挟まれてしまう虞れもある。
【０００８】
本発明は、上記した従来のメモ台装置の有するこのような問題点に鑑みなされたもので、請求項１にあっては、軸受およびメモや載置用に供する台板を固設した回動軸にクラッチ軸の係脱用である凹溝および切り欠き溝を適切に設けると共に、回転体に貫設したクラッチ軸収容孔には、クラッチ軸を遊嵌自在とした構成のクラッチ機構を採択することにより、前記台板の開動作（収納位置から使用位置へ回動操作する動作）および閉動作（使用位置から収納位置へ回転操作する動作）が、何れも夫々初期と後期の二段階で行われるようにし、この際一段目の初期動作が完全に終了した後でなければ、二段目の後期動作が行い得ないようにすることで、台板が開閉動作中にあって不本意に横方向へがた付いてしまったりすることを完全に阻止し、円滑にして確実に、しかも容易な操作により迅速かつ確実に開閉動作を行い得るようにするのが、その目的である。
【０００９】
さらに、請求項２は請求項１の構成に加えて、台板を使用位置から任意角度だけ持ち上げて起立する方向へ回動させさえすれば、それ以降は自動的に起立位置まで回動し、さらに収納位置まで回動降下させることのできる起立助勢機構を付設することで、台板使用中における災害発生等に対し、敏速なる避難行動がとれるようにしている。
【００１０】
次に請求項３にあっては、請求項２の構成に加えて軸受と回転体との間にダンパー機構を配設することにより、メモ用等台板の収納動作時における垂下方向への回動降下に際して、当該台板の急速なる落動による衝撃を解消し、避難には全く支障のない収納位置までの降下を緩やかに、かつ安全に動作させ得るようにしている。
【００１１】
さらに、請求項４にあっては、前記請求項２の構成に加えて、軸受の外周面にあって凹設したカム溝に対して、圧縮スプリングにて付勢したカムローラ受けにあって、これに軸支のカムローラを、係脱自在なるよう係嵌する収納保持機構を付設することで、台板を確実に収納位置にて停止状態に保持できるようにするのが、その目的である。
【００１２】
そして請求項５にあっては、請求項４の構成に加えて、請求項３に係る既述のダンパー機構をも配設することにより、請求項１ないし請求項４の諸目的を、すべて満足できるようにしている。
【００１３】
【課題を解決するための手段】
本発明は、上記の目的を達成するため、請求項１にあっては、台板を、椅子の前方において水平状態の使用位置と、椅子の側部において垂下状態となる収納位置とに回動可能なるよう装着した椅子のメモ用等台板のヒンジ装置において、椅子の側部に固定される基体には、椅子の幅方向に軸着されている軸受と、当該軸受の外周側に嵌合されて、台板の上記使用位置と収納位置との間にあって回動する回転体と、先端側には台板が直交状に設けられ、基端側は前記回転体にあって、前記軸受と直交状で、かつ前向きに開設した軸孔に、抜け止め状態にて上記台板の使用位置と起立位置とに回動可能なるよう嵌合されている回動軸とを具備し、前記軸受の外周面に設けたクラッチ軸係脱用である凹溝と、前記回転体の軸心孔周壁にあって、クラッチ軸がその直径方向へ移動自在に遊嵌されるよう連設のクラッチ軸収容孔と、前記回動軸の外周一部に欠設したクラッチ軸係脱用の切り欠き溝とを、夫々前記台板の起立位置において互いに対向して連通する位置に配設することで、クラッチ軸の切り欠き溝への移動を許容することにより、回転体を回動降下自在とし、台板の使用状態においては、クラッチ軸の切り欠き溝への移動が回動軸の外周に阻止されて回転体の回転降下を停止するようにしてなるクラッチ機構が設けられていることを特徴とする椅子のメモ用等台板のヒンジ装置を特徴としている。
【００１４】
請求項２にあっては、上記請求項１の構成に、アンチパニック機能、すなわち両端部が前記回転体と回動軸とに夫々係止されているコイルスプリングを配設することで、前記台板を使用位置から所定の角度だけ回動操作するだけで、自動的に起立位置まで回動されるように、当該コイルスプリングによるトルクを台板のトルクよりも所定値だけ大きく設定した台板の起立助勢機構を付加した点に特徴を有している。
【００１５】
請求項３の場合は、請求項２の構成に回転体の周壁と軸受との間に環状凹部を設け、これに、台板の収納動作である回動降下に対して制動力の発揮されるダンパー機構が設けられていることを特徴を有している。
【００１６】
請求項４にあっては、請求項２の構成に対して、さらに、前記回転体にあって、軸受と直交状にて設けられた貫通孔に摺動自在なるよう嵌合されて、内装の圧縮スプリングにより軸受方向へ押圧付勢されたカムローラ受と、その先端部に回転自在なるよう枢着されているカムローラと、このカムローラが台板の収納位置にあって係嵌自在なるよう前記軸受の外周面に凹設されたカム溝とからなる台板の収納保持機構が設けられていることをその内容としている。
【００１７】
請求項５にあっては、請求項４の構成に請求項３に係る回転体の周壁と軸受との間に環状凹部を設け、これに、台板の収納動作である回動降下に対して制動力の発揮されるようにしたダンパー機構が付加されていることを特徴としている。
【００１８】
【発明の実施の形態】
以下、本発明の実施の形態を図１ないし図１３を参照して説明する。
図１３は、メモ用または物を載置するための台板６を装設した椅子１を例示しており、当該図示例では脚体２、座部３、背もたれ４、左右の肘掛け５、５が備えられている。
【００１９】
そして一方の肘掛け５、すなわち、図示例では着座者の右側の肘掛け５にあって、その内側に、台板６に係るヒンジ装置７が装着されている。
このヒンジ装置７は、請求項１の場合図１および図２並びに図５により示されている通り、基体８と、軸受９と、回転体１０と、回動軸１１とを主要構成部材としている。
【００２０】
上記基体８は、円盤部８ａと、その中心から椅子の左右方向すなわち幅方向へ水平に突設した支軸８ｂとにより形成され、この支軸８ｂの外周には上記軸受９が嵌合固着されている。
上記軸受９には、図２に明示の通り基端に対向して形成した二個の係合凹部９ａ、９ａが設けられ、この係合凹部９ａ、９ａは、上記基体８における支軸８ｂの基端側にあって、直径方向へ貫通固定されているスプリングピン１２の両突出端に係合され、これにより上記支軸８ｂに対して軸受９は軸回り方向に固定されている。そして、さらに軸受９を軸方向に対して固定するため、支軸８ｂの先端中心に刻設したネジ孔８ｃに、六角穴付き止めネジ１３が螺着されている。
【００２１】
図２にあっては基体８が、前記椅子１の肘掛け５に対して止めネジ１４………により固定され、その円盤部８ａの同一円周線上に貫設される複数のネジ挿通孔８ｄ、８ｄ………が、図１０に示した如く弧状の長孔に形成されていて、肘掛け５に対する基体８と軸受９との周方向への取り付け位置が、調整可能となっている。
【００２２】
図１と図５に示した通り上記回転体１０は、基体８側である厚肉の円形部１０ａと、その一側から椅子１の前方へ向けて水平状態で突出した突設部１０ｂとからなり、上記円形部１０ａの中心に貫設した軸孔１０ｃには上記の軸受９を、がたつきなく嵌合することで、当該回転体１０は上記基体８と軸受９に対し上下方向へ回動自在であると共に、前記の止めネジ１３により離脱が阻止された状態に支持されている。
【００２３】
次いで前掲回動軸１１には、その前方である先端側にあって、軸心と直交状にて取付けプレート１１ａが溶接等にて固着され、該取付けプレート１１ａには、図１に示した如くメモ用とか物を載置するための板体６ａが止めネジ１５………にて固定されることにより台板６が形成されている。そして回動軸１１の基端側は、上記した回転体１０における前記突設部１０ｂにあって、椅子１の前方側（図１において左方向）へ開口した軸孔１０ｄに嵌合することで、軸回り方向つまり台板６が椅子１の左右側へ回動可能なるよう構成されており、従って、上記回動軸１１は、軸受９の軸線に対して直交配置となっている。
【００２４】
上記の回動軸１１には図１および図５のように、基端側近傍の外周に環状の係止溝１１ｂを設けてあり、当該係止溝１１ｂには図２にも示されている通り、上記回転体１０に図示しない止め螺子等により固定した補強プレート１７の先端部１７ａを係嵌することで、回動軸１１は軸方向に対して固定され、上記軸孔１０ｄからの離脱が阻止されている。
【００２５】
そして、請求項１にあっては図１に示した通り、クラッチ軸１６と回動軸１１とを、椅子１の前方へ向けてほぼ水平になるまで回転して、台板６を垂直な起立位置とした際には、図５から理解されるように、上記した軸受９の外周面に凹設したクラッチ軸係脱用の凹溝１８と、上記回転体１０の軸孔１０ｃにおける周壁に欠設したクラッチ軸収容孔１９と、上記回動軸１１の外周面の一部に切欠したクラッチ軸係脱用の切り欠き溝２０とが、夫々対向して連通する位置に配設したクラッチ機構２１が構成され、これにより以下詳記の如く台板６を図１３において二点鎖線で示した起立位置と、実線で示した水平な使用位置と、破線で示した垂下状態である収納位置とに、夫々切り換え、自在とするのである。
【００２６】
すなわち上記クラッチ機構２１によるときは、図１は、図１３の二点鎖線位置に台板６が起立しているが、当該台板６を矢印ａが示すように横方向へほぼ９０゜回転すると、これと同一方向へ同一角度だけ回動軸１１が回転されるので、その前記切り欠き溝２０は周方向へ変位するから、回動軸１１の外周面がクラッチ軸１６を下方へ押動し、これによりクラッチ軸１６の外周下部が軸受９の凹溝１８に入り込み、図３に示すとおり台板６は、その使用位置となる。
【００２７】
そして、図３に示した台板６の使用位置において、回転体１０を矢印ｂで示した反時計回り方向、つまり台板６を収納位置方向へ回動させようとしても、上記のようにクラッチ軸１６は上記凹溝１８に係嵌されると共に、回動軸１１の外周面に当接して上方への移動が阻止されているため、クラッチ軸１６は回転体１０におけるクラッチ軸収容孔１９の側面に押圧されても移動不能の状態に保持されるので、回転体１０と回動軸１１、そして台板６は矢印ｂ方向へ回動することなく、従って台板６は椅子１の前方に向けて水平な使用位置に保持される。
もちろん、台板６は上記の水平状態に保持されるように、後に図１１で説示（
【００３９】参照）の如く回転体１０などの適宜な箇所によって受承されるようにしておくのである。
【００２８】
次に、上記した台板６の使用位置から、台板６と共に回動軸１１を図４に矢印ｃで示した方向へ回動して起立位置とすれば、前記した切り欠き溝２０が、クラッチ軸１６と対向して連通する位置に出現することとなるので、クラッチ軸１６は最早、回動軸１１の外周面によって押さえ付けられることのない状態となり、従って回転体１０を図４に示した矢印ｂ方向へ僅かに回転すると、軸受９の凹溝１８端部における曲面１８ａに沿いクラッチ軸１６は押圧されて、遂に凹溝１８から脱出するに至り、回動軸１１の上記切り欠き溝２０に入り込んで、当該クラッチ軸１６は図４の二点鎖線で示したように軸受９の外周面に乗り上げられて回動降下し、従って台板６は図１３における破線の収納位置まで回動して行くことになる。
【００２９】
そして上記台板６の回動降下に際しては、既述の如くクラッチ軸１６が軸受９の外周面と切り欠き溝２０との間に入り込み、このことによって、回動軸１１は、その軸回り方向において、左右何れの方向に対しても回転されなくなるので、台板６は起立状態を保持したままで、上記図１３の破線で示す如く、図示例では椅子１の座部３と肘掛け５との間、すなわち、着座の邪魔にならぬ収納位置へ回動収置されることになる。
【００３０】
次に、請求項２にあっては、上記回転体１０と回動軸１１との間に、台板６に対する起立助勢機構２２がさらに付設されている。
上記起立助勢機構２２は、これまた図１および図５に示したように、回転体１０における突設部１０ｂの軸孔１０ｄにあって、そのほぼ前半部に径大孔１０ｅを形成し、当該径大孔１０ｅに内装したコイルスプリング２２ａを回動軸１１に被装し、さらに回動軸１１には、スプリングピン２３の貫設により先端側に内嵌固定したスプリング受２３ｂと、径大部１０ｅの内端面に穿設したスプリング係止用孔１０ｆとに、夫々コイルスプリング２２ａの各端部２２ｃ、２２ｄを係止するようにしてある。このことにより、当該起立助勢機構２２によるときは、上記のコイルスプリング２２ａによるトルクが、回動軸１１に対して台板６を起立する方向へ付勢するようにしてある。
【００３１】
すなわち、上記起立助勢機構２２の付設により、図７中に二点鎖線で示した台板６の使用位置（イ）から起立位置（ロ）側へ向けて所定操作角度βだけ回動操作してやれば、それ以降当該台板６は、コイルスプリング２２ａの復原力によって自動的に起立位置（ロ）まで回動起立することになる。
ここで、上記の（イ）と（ロ）とのなす回動角度が９０゜である場合には、操作角度βを３０゜〜６０゜程度とするのが望ましい。
【００３２】
さらに、図８により説示すると、台板６の使用位置におけるトルクＴは、コイルスプリング２２ａによるトルクｔよりも大きいが、台板６の操作角度βが所定角度に達することで、台板６のトルクＴよりも、コイルスプリングによるトルクｔが大きくなったときに、台板６に対する起立パワーが発生することになる。しかし、この際台板６が回動する場合の摩擦抵抗があることから、その分だけ台板６の起立発生角度αは、矢印Ｓ方向である起立位置（ロ）側へ移行することになる。
【００３３】
請求項３では、上記請求項２の構成にダンパー機構２４、が付加されており、これは図２そして図５により理解される通り、円形状としたケース２４ａとキャップ２４ｂを液密状態に嵌合接着し、その内部には複数個の小孔２５ａ、２５ａ………および２６ａ、２６ａ………を貫通した複数枚の夫々固定ディスク２５………と可動ディスク２６とが、板厚方向へ交互に重装状態で配置されていると共に、ポリイソブチレン等の高分子粘性流体が充填され、その粘性剪断抵抗を利用することにより制動力が得られるようにしてある。従って、当該制動力により前記の如く回転体１０と回動軸１１および台板６が一体に回動する際、これらによる荷重トルクに対して適度な緩衝作用が発揮されることになる。
【００３４】
さらに上記ダンパー機構２４につき説示すると、回転体１０の厚肉に形成されている円形部１０ａの前端に連設された環状凹部１０ｇに内装されており、前記キャップ２４ｂは、その中心に貫設した軸孔２７によって軸受９の外周に施されたＯリング２８を介し、液封状態にて回転可能なるよう被嵌されていると共に、図５に示したタッピンネジ２９………等により回転体１０に固設されている。
【００３５】
前記ケース２４ａは、図２に示した通り軸受９の前面にあってＯリング３０を介して、液封状態で回転可能なるよう重装配設され、当該ダンパー機構２４の内部にあって、上記した複数枚の固定ディスク２５………は上記軸受９の外周に、複数枚の可動ディスク２６………は上記ケース２４ａの周壁内面に夫々固定されている。
すなわち、軸受９に固定した固定ディスク２５………に対して、可動ディスク２６………が回転体１０と共に一体に回動され、これによって上記した粘性剪断抵抗力が既知の通り発揮されるよう構成されている。
【００３６】
次に請求項４にあっては、前記した請求項２の構成に、台板６を収納位置にあって維持させるための収納保持機構３１が付加されている。
この収納保持機構３１は図１および図５並びに図９に示したように、回転体１０の突設部１０ｂにあって、前記軸孔１０ｄと平行で、かつ軸受９と直交状に貫通孔３２が設けられ、これには、奥端にカムローラ３１ｂをローラピン３１ｃにて回転自在なるよう枢着したカムローラ受３１ａが、軸線方向へ摺動自在に嵌合されている。さらに、カムローラ受３１ａと、貫通孔３２の開口部に設けられている螺孔３２ａに進退自在なるよう螺合した調整螺子３１ｄとの間には、圧縮スプリング３１ｅを介装し、このことで、圧縮スプリング３１ｅによりカムローラ３１ｂに対して、軸受９側への弾発力を付勢するようにしてあると共に、上記軸受９の外周面にあって形成されたカム面３１ｈには、台板６の夫々使用位置と収納位置とにおいて、上記カムローラ３１ｂが係嵌するようカム溝３１ｆ、３１ｇが凹設された構成となっている。
【００３７】
従って二個のカム溝３１ｆ、３１ｇのうち、台板６の使用状態にあっては、一方のカム溝３１ｆにカムローラ３１ｂが圧縮スプリング３１ｅによる比較的小さな弾力により係嵌状態となっており、さらに、当該カムローラ３１ｂが他方のカム溝３１ｇに、圧縮スプリング３１ｅの弾力により係嵌するに至れば、台板６は収納位置にあって保持されることになる。
【００３８】
すなわち上記の収納位置へ台板６が回動降下する際には、回転体１０における回転中心の下方延長線上となる台板６のバランス角度位置よりも、図６の二点鎖線および図９に夫々示した通り、椅子の後方側へ回動させた位置で収納しなければならないことになるから、台板６の収納回動時には、台板６のトルクにより、上記したカム面３１ｈを乗り越え、これによって充分に圧縮された圧縮スプリング３１ｅの復原力により、カム溝３１ｇに対しカムローラ３１ｂが確実に係嵌され、逆方向へ回動してしまうようなことのないよう保持される。そして請求項５ではさらにダンパー機構２４により収納時における回動スピードを全行程にわたり緩和させるように構成してあり、これにより台板６の収納回動時にあって台板６の急速な落動や衝撃を解消し、収納位置までの緩やかな回動を保証している。
【００３９】
さらに、図示例では回転体１０における突設部１０ｂに、図１１および図１２の如く二個の六角穴付き止めネジ３３、３４が夫々上向きと横向きに進退自在なるよう螺合されており、当該各止めネジ３３、３４の突出端に前記板体６ａの取付けプレート１１ａにおける基端側裏面が、台板６の水平な使用位置および垂直な起立位置において夫々当接されるよう構成されている。
従って、上記止めネジ３３を上下方向へ螺動調整したり、止めネジ３４を左右方向へ螺動調整することによって、台板６の使用位置角度および起立位置角度を任意に微調整することができる。
【００４０】
【発明の効果】
本発明は、以上説明したように構成されているので、請求項１によるときは、軸受に設けた凹溝と、回転体のクラッチ軸収納客孔に収容したクラッチ軸と、回動軸に設けた切り欠き溝とにより形成されたクラッチ機構を採用したことで、台板を起立位置から使用位置へ回転操作する動作、または、これとは逆方向への操作を誤動作なく円滑にして迅速、かつ確実に行うことができると共に、台板の収納位置から使用位置まで、または、これと逆方向への操作も、台板が横方向へがたついてしまったり、回動したり、また部品相互がこすれ合って音鳴きを生じたり、操作が重くなったりすることなく、円滑にして、確実にして迅速に行うことができる。さらに、このクラッチ機構は回転体に内装され、外部に露呈しないから、外観上の体裁もよく、また、避難時にあっても衣服等がはさまる危険が全くない。
【００４１】
そして、請求項２では、台板を使用位置から任意の角度だけ持ち上げるよう回動操作するだけで、起立機構によって、それ以降起立位置までを自動的に回動させることができるので、台板使用中における災害発生等の非常時における避難に際しても、より迅速にして円滑かつ、安全な行動をとることができる。
さらに、請求項３にあっては、台板が上記の如く自動的に起立位置まで回動した後にあって、直ちに収納位置へ回動する際にも、付加したダンパー機構により、台板の急速な落下や衝撃が解消され、収納位置まで、緩やかにして安全な動作が保証される。
【００４２】
さらに、請求項４にあっては、台板が、その収納保持機構により、収納位置にて確実に停止状態で保持されるので、ここで、台板が横方向（左右方向）へばたついたり、通路側である前方へ回動してしまうといったこともないから、椅子と椅子の間に形成された当該通路を通る際、邪魔になったり、足等をぶつける等の危険を完全に解消することができる。
【００４３】
さらに、請求項４にあっては、上記台板の収納回動時にあって、台板をその回転中心下方であるバランス角度よりも、さらに後方まで回動させたところで、軸受のカム面に対してカムローラを圧縮コイルスプリングにより弾接されるようにしたので、理想的な収納位置に確実な保持が可能となり、請求項５では、これに加えて、ダンパー機構による制動力によって回動スピードが緩和されるので、台板を収納位置側へより緩やかにして安全に回動させることができる。
【図面の簡単な説明】
【図１】本発明に係る椅子のメモ用等台板のヒンジ装置の取付状態を示した一部切欠の縦断正面図である。
【図２】図１におけるＡ−Ａ線矢視縦断面図である。
【図３】同上装置を一部切欠して示した台板使用状態の縦断正面図である。
【図４】同上装置を一部切欠して示した台板起立状態の縦断正面図である。
【図５】同上装置の分解斜視図である。
【図６】同上装置の台板起立位置と台板収納位置を示す一部切欠の正面図である。
【図７】同上装置の台板起立位置と台板使用位置を示す一部切欠の正面図である。
【図８】同上装置の台板のトルクと、コイルスプリングによるトルクと、台板の起立発生位置とを示す図表である。
【図９】同上装置を一部切欠して示した台板収納状態の縦断面図である。
【図１０】同上装置における基体と軸受との取付け状態を示す正面図である。
【図１１】同上装置の台板使用位置調整機構を示す一部切欠の側面図である。
【図１２】同上装置の台板起立位置調整機構を示す一部切欠の正面図である。
【図１３】同上装置による台板が取付けられた状態を示す椅子の斜視図である。
【符号の説明】
１    椅子
５    肘掛け
６    台板
７    ヒンジ装置
８    基体
９    軸受
１０    回転体
１０ｃ  軸心孔
１０ｄ  軸孔
１０ｇ  環状凹部
１１    回動軸
１６    クラッチ軸
１８    凹溝
１９    クラッチ軸収容孔
２０    切り欠き溝
２１    クラッチ機構
２２    起立助勢機構
２２ａ  コイルスプリング
２４    ダンパー機構
３１    収納保持機構
３１ａ  カムローラ受
３１ｂ  カムローラ
３１ｅ  圧縮コイルスプリング
３１ｇ  カム溝
３２    貫通孔
Ｔ    台板のトルク
ｔ    コイルスプリングによるトルク
【図１】
0003965486.tif 000002
【図２】
0003965486.tif 000003
【図３】
0003965486.tif 000004
【図４】
0003965486.tif 000005
【図５】
0003965486.tif 000006
【図６】
0003965486.tif 000007
【図７】
0003965486.tif 000008
【図８】
0003965486.tif 000009
【図９】
0003965486.tif 000010
【図１０】
0003965486.tif 000011
【図１１】
0003965486.tif 000012
【図１２】
0003965486.tif 000013
【図１３】
0003965486.tif 000014